(57)【要約】【課題】設備点検管理の利便性をより向上させることができる、設備点検システムの管理サーバを提供すること。【解決手段】管理サーバ１００は、モニター１０６にカレンダーを表示し、設備点検を行う各施設名を、カレンダーの各施設の設備点検を行う日に対応する日の欄に表示する。また、管理サーバ１００は、カレンダー上に表示した各施設名についての設備点検の写真を受信したか否かを判断し、設備点検の写真を受信した施設名のモニター１０６上での表示色を変更する。この結果、点検する施設が多数存在する場合でも、ユーザはその点検状況をひと目で認識できるようになる。【選択図】図２
2014063378.tif 000002
【特許請求の範囲】
【請求項１】
カメラ機能付携帯端末と、管理サーバと、顧客側端末と、を含む設備点検システムに用いられる、前記管理サーバであって、
設備点検を行う各施設の施設名を、設備点検を行う日に対応するカレンダーの日付欄に配置して表示するモニターと、
前記カメラ機能付携帯端末からの画像を受信可能な通信部と、
前記カレンダー上に表示した各施設名についての、設備点検画像を受信したか否かを判断する判断部と、
前記判断部によって前記設備点検画像を受信したと判断された施設名の前記モニター上での表示色を変更する表示制御部と、
を具備する、設備点検システムの管理サーバ。
【請求項２】
前記表示制御部は、受信された前記設備点検画像が予め決められたカメラ機能付携帯端末からのものである場合にのみ、前記表示色を変更する、
請求項１に記載の設備点検システムの管理サーバ。
【請求項３】
前記表示制御部は、
さらに、現在の日付を基準にして、現在の日付と、各施設の点検予定日との関係に基づいて、各施設名の表示色を制御する、
請求項１又は請求項２に記載の設備点検システムの管理サーバ。
【請求項４】
前記カレンダー上で当該施設名が選択された場合に、当該施設名の設備点検画像が前記モニターに表示されるように、設備点検画像を前記カレンダー上の施設名にリンクさせる、
請求項１から請求項３のいずれか一項に記載の設備点検システムの管理サーバ。
【請求項５】
前記各施設名ごとに、前記設備点検画像を含む点検レポートを作成するレポート作成部を、さらに具備する、
請求項１から請求項４のいずれか一項に記載の設備点検システムの管理サーバ。
【請求項６】
前記各施設名が配置されたカレンダーは、点検を依頼した顧客ごと作成され、表示される、
請求項１から請求項５のいずれか一項に記載の設備点検システムの管理サーバ。
【請求項７】
コンピューターに、
設備点検を行う各施設の施設名を、設備点検を行う日に対応するカレンダーの日付欄に配置して表示させるステップと、
前記カレンダー上に表示させる各施設名についての、設備点検画像を受信したか否かを判断するステップと、
前記設備点検画像を受信したと判断した施設名の表示色を変更するステップと、
を実行させるプログラム。
【発明の詳細な説明】
【技術分野】
【０００１】
本発明は、消火器などの設備を点検するための設備点検システムに用いられる管理サーバ関する。
【背景技術】
【０００２】
従来、設備の点検は、点検員が設備の有無や状態などを確認し、点検結果をレポートなどにまとめることで行うようになっている。しかしながら、このような設備点検は、ほとんどが人手に委ねられているので、手間がかかる上に、信頼性が点検員に左右されるという欠点がある。
【０００３】
一方で、設備の点検とは異なるが、例えば特許文献１には、住宅の施工画像を用いることにより、施工状況を一元管理することができると共に非常に簡単に施工報告書の作成を行うことができる、施工管理システムが開示されている。簡単に説明する。特許文献１で開示されている技術は、携帯電話で住宅の施工画像を撮像し、この画像をネットワーク経由で管理サーバに送信する。この管理サーバは、ネットワーク経由でコンピューターに管理画像を送信する。コンピューターは、施工画像が貼り付けられた施工報告書を住宅毎に作成する。
【０００４】
また、特許文献２には、カメラ付き携帯端末で建物及び設備の画像を撮像し、この画像をネットワーク経由でサーバに送信し、このサーバによって画像が貼り付けられた点検報告書を作成する、建物管理システムが開示されている。このようなシステムを用いれば、設備の状況がカメラ付き携帯端末で送信されるので、瞬時に設備の状況を把握できるようになる。
【先行技術文献】
【特許文献】
【０００５】
【特許文献１】特開２０１０−１４０１０３号公報
【特許文献２】特開２００７−４１９９７号公報
【発明の概要】
【発明が解決しようとする課題】
【０００６】
上述したように、建物の施工や設備点検に、カメラ付き携帯電話で撮像した画像を利用すれば、施工や設備点検の一元管理がし易くなると共に、報告書の作成も容易となる。
【０００７】
ところが、特許文献１で開示された施工管理システムは、住宅毎の管理については詳細に検討されているが、複数の住宅あるいは建物間での管理については、十分に配慮されているとは言えない。このことは、特許文献２で開示された建物管理システムについても同様である。
【０００８】
また、ユーザが点検結果を見るときの利便性も、十分に検討されているとは言えなかった。
【０００９】
本発明は、以上の点を考慮してなされたものであり、設備点検管理の利便性をより向上し得る、設備点検システムの管理サーバを提供することを目的とする。
【課題を解決するための手段】
【００１０】
本発明の設備点検システムの管理サーバの一つの態様は、
カメラ機能付携帯端末と、管理サーバと、顧客側端末と、を含む設備点検システムに用いられる、前記管理サーバであって、
設備点検を行う各施設の施設名を、設備点検を行う日に対応するカレンダーの日付欄に配置して表示するモニターと、
前記カメラ機能付携帯端末からの画像を受信可能な通信部と、
前記カレンダー上に表示した各施設名についての、設備点検画像を受信したか否かを判断する判断部と、
前記判断部によって前記設備点検画像を受信したと判断された施設名の前記モニター上での表示色を変更する表示制御部と、
を具備する。
【発明の効果】
【００１１】
本発明によれば、設備点検を行う各施設の施設名を、設備点検を行う日に対応するカレンダーの日付欄に配置して表示し、カレンダー上に表示した各施設名についての、設備点検画像を受信したか否かを判断し、設備点検画像を受信したと判断された施設名のモニター上での表示色を変更したことにより、点検する施設が多数存在する場合でも、ユーザがその点検状況をひと目で認識できる。この結果、設備点検管理の利便性をより向上し得る、設備点検システムの管理サーバを実現できる。
【図面の簡単な説明】
【００１２】
【図１】実施の形態の設備点検システムの概要を示す図
【図２】管理サーバの構成を示すブロック図
【図３】モニターに表示される設備点検スケジュールの例を示す図
【図４】レポート作成部によって作成される点検レポートの例を示す図
【図５】スマートフォンのホーム画面を示す図
【図６】ログイン画面を示す図
【図７】分類選択画面を示す図
【図８】請元選択画面を示す図
【図９】施設名選択画面を示す図
【図１０】点検項目選択画面を示す図
【図１１】写真登録画面を示す図
【図１２】写真登録画面を示す図
【図１３】写真登録画面を示す図
【図１４】アップロード選択画面を示す図
【発明を実施するための形態】
【００１３】
以下、本発明の実施の形態について図面を参照して詳細に説明する。
【００１４】
本実施の形態の設備点検システムは、設備点検を行った現地から、スマートフォンを利用して、業務分類、請元情報、点検施設名、点検写真、コメントなどの情報を入力し、それを共有サーバに送信（アップ）することで、設備点検の情報を設備点検を依頼した顧客と共有できるようになっている。
【００１５】
また、本実施の形態の設備点検システムは、管理画面の表示を工夫することで、設備点検管理の利便性を向上し得るようになっている。
【００１６】
＜システム構成＞
図１は、本実施の形態の設備点検システムの概要を示す図である。
【００１７】
設備点検システム１０は、スマートフォン１１と、管理サーバ１００とが、インターネットなどの通信網１２を介して接続されている。また、設備点検システム１０は、管理サーバ１００と、顧客側端末１３とが、通信網１２を介して接続されている。ここで、管理サーバ１００は、管理者側と顧客側とで共有されるので、共有サーバと呼んでもよい。管理サーバ１００は管理側端末１４と接続される。また、スマートフォン１１は、設備点検を請け負った会社の社員によって携帯される。
【００１８】
図２は、管理サーバ１００の構成を示すブロック図である。図２では、管理サーバ１００の構成のうち、本実施の形態において特徴的な部分のみが示されている。
【００１９】
通信部１０１は、スマートフォン１１及び顧客側端末１３との通信を確立するための種々の処理を実行するようになっている。通信部１０１は、例えば、受信時には、ＭＡＣアドレスなどの宛先アドレスの確認や、パスワードの認証などを行い、自装置宛の信号であることを確認した信号に対して、復号処理などの所定の受信処理を施す。また、通信部１０１は、送信時には、送信信号に符号化や暗号化などを施した後、所定の通信フレームの信号を形成して送信する。
【００２０】
具体的には、通信部１０１は、スマートフォン１１からの信号を受信すると、スマートフォン１１から送られてきたログイン名やパスワードなどの確認を行い、ログイン名やパスワードが予め登録されたものと一致したスマートフォンからの信号の受信を許可する。後で詳細に説明するが、管理サーバ１００は、スマートフォン１１から、現場の点検写真とともに、点検した施設名、点検写真を撮影した日付などの情報を受信する。通信部１０１は、スマートフォン１１から受信した点検写真、点検した施設名、点検写真を撮影した日付などを、判断部１０２に出力する。
【００２１】
記憶部１０３には、点検を行う施設名、各施設の点検を行う点検予定日、点検を依頼した顧客名、カレンダーなどが記憶されている。これらの各項目は、キーボードなどの入力部１０４を用いて予め入力すればよい。因みに、入力部１０４は、管理側端末１４に設けられていてもよい。
【００２２】
判断部１０２は、スマートフォン１１から受信した施設名、点検日を、記憶部１０３に記憶されている施設名、点検日と照合することで、各施設についての設備点検の画像を受信して点検が終了したか否かを判断し、判断結果を表示制御部１０５に出力する。具体的には、判断部１０２は、記憶部１０３に記憶されたある施設の写真をスマートフォン１１から受信した場合には、その施設の検査が終了したと判断し、これを表示制御部１０５に通知する。
【００２３】
表示制御部１０５は、記憶部１０３からのカレンダー情報を用いて、設備点検を行う各施設の施設名を、設備点検を行う日に対応するカレンダーの日付欄に配置して表示するモニター１０６に表示させる。また、表示制御部１０５は、点検が終了した施設名と点検が終了していない施設名の色を、異なる色で表示させる。
【００２４】
これにより、ユーザは、各施設の点検スケジュールを容易に把握できるのに加えて、点検が終了している施設と終了していない施設をひと目で識別できる。さらに、ユーザは、点検が終了していない施設については点検予定日をどれくらい過ぎているかや点検予定日まであと何日あるかをひと目で認識できる。この結果、点検の遅れなどをひと目で認識できるので、まだ点検が終了していない施設の点検スケジュールを組み直す際などに非常に便利である。
【００２５】
図３は、モニター１０６に表示される設備点検スケジュールの例を示す。
【００２６】
図に示すように、設備点検を行う各施設名は、カレンダーの各施設の設備点検を行う日に対応する日の欄に表示される。そして、各施設名「札幌駅前店」、「押上センター」、「江東支店」のうち、点検写真を既に受信した施設名は例えば緑色で表示され、点検写真を未だ受信していない施設名は例えば赤色で表示される。これにより、点検対象の施設名が多数存在する場合でも、ユーザは、点検の終了状況をひと目で確認できる。
【００２７】
なお、これに加えて、現在の日付を基準にして、現在の日付と、各施設の点検予定日との関係に基づいて、各施設名の表示色を制御すると好適である。例えば、現在の日付を基準にして、点検予定日が近い施設名と点検予定日が遠い施設名の表示色を変えるようにしてもよい。また、点検が未だ終わっていない施設名についても、一様に同じ色（例えば赤色）にするのではなく、点検予定日を過ぎてしまっている施設名と点検予定日を過ぎていない施設名の表示色を変えてもよい。さらに、管理サーバ１００に予め点検予定日が設定されておらず、スマートフォン１１から緊急で点検写真が送られてきた場合には、点検予定日が設定されている施設名とは異なる色で施設名を表示するとよい。例えば、消防設備などについては、点検予定日が設定されていなくても緊急で設備点検を行う場合がある。このような場合に、表示色を異なる色にすれば、その設備点検が緊急点検であったことを容易に認識できるようになる。また、このような緊急時には、後述する点検レポートも優先的に至急顧客側端末に送信するようにするとよい。
【００２８】
また、管理サーバ１００は、カレンダー上の施設名と、受信したその施設の設備点検写真とをリンクさせており、これにより、カレンダー上で当該施設名が選択された場合に、当該施設名の設備点検写真をモニター１０６に表示できるようになっている。例えば、ユーザが、モニター１０６上の施設名の色を見て、「札幌駅前店」の点検が終了していることを確認し、この「札幌駅前店」の施設名の位置にマウスカーソルを合わせてマウスをクリックすると、「札幌駅前店」の点検写真がモニター１０６に表示される。これにより、ユーザが設備点検結果を見るときの利便性が向上する。
【００２９】
実際上、本実施の形態の管理サーバ１００は、図３のスケジュールに表示された施設名が選択されると、レポート作成部１０７によって作成された点検レポートをモニター１０６に表示するようになっている。図４に、レポート作成部１０７によって作成され、モニター１０６に表示される、点検レポートの例を示す。図４を見れば分かるように、点検レポートには、施設名、点検写真に加えて、見積金額や、点検項目、現在のステータスなどが含まれる。
【００３０】
レポート作成部１０７は、記憶部１０３に記憶された施設名、点検予定日、顧客名に加えて、通信部１０１を介して受信した点検写真、点検実施日と、入力部１０４を介してユーザにより入力されたコメントとを用いて、図４に示したような点検レポートを作成する。因みに、入力部１０４を介してユーザが、レポート作成部１０７で作成される点検レポートの内容を制限することもできる。このようにすることで、例えば顧客に応じて、点検レポートに含める情報を制限できるようになる。
【００３１】
レポート作成部１０７によって作成された点検レポートは、データ格納部１０８に格納される。データ格納部１０８は、表示制御部１０５から要求があった施設の点検レポートを表示制御部１０５に出力し、表示制御部１０５はこの点検レポートをモニター１０６に表示する。
【００３２】
また、データ格納部１０８は、顧客側端末１３から要求があった施設の点検レポートを通信部１０１を介して顧客側端末１３に送る。これにより、顧客側端末１３では、点検写真や見積などを含む点検レポートを容易に見ることができる。
【００３３】
＜スマートフォンによる設備点検情報の送信＞
スマートフォン１１には、予め、本実施の形態による設備点検サービスのアプリケーションプログラムが、インターネットを介してダウンロードされる。以下に説明する、スマートフォン１１による設備点検情報の送信処理は、このアプリケーションプログラムに基づいて行われる。
【００３４】
先ず、図５に示すように、スマートフォン１１のホーム画面に表示された「設備点検サービス」のアイコンをユーザがタップすると、スマートフォン１１には、図６に示すようなログイン画面が表示される。ユーザは、ログイン名と、パスワードとを入力した後、ログインボタンをタップする。
【００３５】
すると、スマートフォン１１には、図７に示すような分類選択画面が表示される。なお、図７の例では、分類選択画面に、点検、工事、誤報、訓練、調査の項目が表示されるが、図７の画面を表示せずに、続く点検の処理に一意に移ってもよい。
【００３６】
ユーザにより点検のボタンがタップされると、図８に示すような請元（顧客）選択画面が表示される。ユーザは、表示された複数の請元（顧客Ａ、顧客Ｂ、顧客Ｃ、顧客Ｄ）の中から、点検を依頼した顧客を選択してタップする。
【００３７】
すると、図９に示すような、選択された顧客によって設備点検を依頼された施設名が表示される。ユーザは、表示された施設名の中から、これから点検作業を行おうとする施設名を選択してタップする。
【００３８】
次に、スマートフォンには、図１０に示すような点検項目選択画面が表示される。ユーザは、表示された複数の点検項目の中から、点検しようとする項目を選択してタップする。図１０は、消防点検の項目がタップされた例である。
【００３９】
次に、図１１に示すように、ユーザが「写真」のタブをタップすると、写真登録画面が表示される。ユーザは、画面キーボードを使って「登録する画像コメント」の欄に、これから撮ろうとする写真の名前などを入力できるようになっている。図１２に示すように、ユーザが「登録する画像コメント」の欄に写真の名前などを入力し、カメラ起動ボタンをタップすると、スマートフォン１１はカメラ撮像モードとなる。
【００４０】
ユーザが設備を撮像すると、スマートフォン１１には、図１３に示すように、撮像した画像が表示される。ここで、ユーザが「点検」のタブをタップすると、スマートフォン１１には、図７から図１３までの処理で入力されたデータが撮像された写真とセットで登録される。
【００４１】
次に、スマートフォン１１には、図１４に示したような画像が表示され、ユーザが「アップロード」のボタンをタップすると、上記登録されたデータと写真が、管理サーバ１００にアップロードされる。
【００４２】
このように、現場にいる設備点検担当者の持っているスマートフォン１１から、管理サーバ１００に、設備の点検写真と、顧客名、施設名、点検項目、及び、写真に対するコメントの情報と、がアップロードされる。
【００４３】
以上説明したように、本実施の形態によれば、モニター１０６にカレンダーを表示し、設備点検を行う各施設名を、カレンダーの各施設の設備点検を行う日に対応する日の欄に表示し、カレンダー上に表示した各施設名についての設備点検の写真を受信したか否かを判断し、設備点検の写真を受信した施設名のモニター１０６上での表示色を変更するようにしたことにより、点検する施設が多数存在する場合でも、ユーザがその点検状況をひと目で認識できる。この結果、設備点検管理の利便性をより向上し得る設備点検システム１０の管理サーバ１００を実現できる。
【００４４】
また、表示制御部１０５が、受信された設備点検画像が予め決められたカメラ機能付携帯端末からのものである場合にのみ、表示色を変更することにより、不審な携帯端末からの影響を排除でき、設備点検管理の信頼性を向上させることができる。
【００４５】
また、カレンダー上の施設名と、設備点検画像とがリンクされているので、ユーザは、設備点検が終了している施設をその表示色により確認した上で、所望の施設名を選択してクリックするだけで、その施設の設備点検画像を迅速に見ることができるようになる。これにより、ユーザが設備点検結果を見るときの利便性も向上される。
【００４６】
さらに、管理サーバ１００は、各施設名が配置されたカレンダーを、点検を依頼した顧客ごと作成し、表示するようになっている。これにより、ユーザは、顧客毎のスケジュール管理がし易くなる。
【００４７】
なお、スマートフォン１１に保持されている施設名、業務分類、諸元情報などの追加や変更は、管理側端末１４及び又は管理サーバ１００などを介して行えばよい。例えば、管理サーバ１００へのスマートフォンのログイン時に、スマートフォン１１の情報が最新の情報に変更されるようにすればよい。
【００４８】
なお、上述の実施の形態では、スマートフォン１１を用いた場合について述べたが、本発明はこれに限らず、要は、設備点検画像を撮像して管理サーバ１００にアップロードできるものであれば、どのようなカメラ機能付携帯端末を用いてもよい。
【００４９】
また、上述の実施の形態の管理サーバ１００は、メモリ・ＣＰＵを含むコンピューターによって構成することができる。そして、管理サーバ１００を構成する判断部１０２、表示制御部１０５及びレポート作成部１０７などの各構成要素の機能は、メモリ上に記憶されたコンピュータプログラムをＣＰＵが読み出して実行処理することで実現できる。
【００５０】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５１】
本発明は、設備点検写真を含む設備点検レポートを作成し管理する設備点検システムに好適である。特に、点検対象の施設が複数存在する場合に好適である。
【符号の説明】
【００５２】
１０  設備点検システム
１１  スマートフォン
１２  通信網
１３  顧客側端末
１４  管理側端末
１００  管理サーバ
１０１  通信部
１０２  判断部
１０３  記憶部
１０４  入力部
１０５  表示制御部
１０６  モニター
１０７  レポート作成部
１０８  データ格納部
【図１】
2014063378.tif 000003
【図２】
2014063378.tif 000004
【図３】
2014063378.tif 000005
【図４】
2014063378.tif 000006
【図５】
2014063378.tif 000007
【図６】
2014063378.tif 000008
【図７】
2014063378.tif 000009
【図８】
2014063378.tif 000010
【図９】
2014063378.tif 000011
【図１０】
2014063378.tif 000012
【図１１】
2014063378.tif 000013
【図１２】
2014063378.tif 000014
【図１３】
2014063378.tif 000015
【図１４】
2014063378.tif 000016